(57)【要約】【課題】ティーバッグ内に収容された茶葉または茶葉粉末からの抽出物を有効に液中に拡散することができ、コップとティーバッグを別々に廃棄することもできるティーバッグ付きインスタントコップを提供する。【解決手段】開口１１および底板１２を有し前記開口１１からティーバッグ２を入れることができるコップ１を形成する。このコップ内に、内容物が収容され周縁２２をシールしたティーバック２を入れ、前記周縁の一部を前記コップの底板に固定する。前記固定点の反対側の周縁には糸２４の一端が連接されている。前記糸の他端には、摘み片２５がある。摘み片を引くとティーバッグを振動させることができ、強く引くとティーバッグをコップの底板から引き剥がすことができる。【選択図】図１
0003141484.tif 000002
【実用新案登録請求の範囲】
【請求項１】
開口および底板を有し前記開口からティーバッグを入れ可能であるコップと、内容物が収容されており周縁を有するバックであり前記周縁の一部が前記コップの底板に固定されており前記固定点の反対側にある周縁に糸の一端が連接されているティーバッグと、を含むことを特徴とする、ティーバッグ付きインスタントコップ。
【請求項２】
前記コップの開口の端縁には、前記糸を挟むための切り欠が設けられていることを特徴とする、請求項１に記載のティーバッグ付きインスタントコップ。
【請求項３】
前記糸の他端には保持可能な摘み片が連接されていることを特徴とする、請求項１又は２に記載のティーバッグ付きインスタントコップ。
【考案の詳細な説明】
【技術分野】
【０００１】
本考案は、ティーバッグ付きインスタントコップに係り、特に、コップの底板にティーバッグが固定されているティーバッグ付きインスタントコップに関するものである。
【背景技術】
【０００２】
従来、出願者は「ティーバッグ付きインスタントコップ」を提案した（特許文献１参照）が、このティーバッグ付きインスタントコップは、コップ及びティーバッグを含み、前記ティーバッグの周縁の一部が高周波溶着または加熱シールなどの方法によりコップの底板に固定されており、前記固定点によりティーバッグの一部が固定されるので、ティーバッグはコップ内に浮かぶことができ、また、お湯の衝撃によりティーバッグ内の茶葉または茶葉粉末の抽出物が液中に拡散されるようになる。
【特許文献１】登録実用新案第３１０２２３８号公報（実用新案登録請求の範囲、図３）
【考案の開示】
【考案が解決しようとする課題】
【０００３】
しかしながら、これは次のような欠点があった。
（１）お湯を入れていないときに、コップ内に浮かんでいるティーバッグが有効に振動されない。
【０００４】
（２）使用されたティーバッグを廃棄しようとする場合に、ティーバッグが底板に固定されたままなので、コップとティーバッグを別々に廃棄することができない。
【課題を解決するための手段】
【０００５】
上記欠点を解決するために本願考案は、開口および底板を有し前記開口からティーバッグを入れ可能であるコップと、内容物が収容されており周縁を有するバックであり前記周縁の一部が前記コップの底板に固定され前記固定点の反対側にある周縁に糸の一端が連接されているティーバッグと、を含むことを特徴とするティーバッグ付きインスタントコップであることを要旨としている。
【０００６】
本願考案では、前記コップの開口の端縁には、前記糸を挟むための切り欠が設けられていることを特徴とする請求項１に記載のティーバッグ付きインスタントコップであることを要旨としている。
【０００７】
本願考案では、前記糸の他端には保持可能な摘み片が連接されていることを特徴とする請求項１又は２に記載のティーバッグ付きインスタントコップであることを要旨としている。
【考案の効果】
【０００８】
本考案のティーバッグ付きインスタントコップによれば、次のような効果がある。
（１）お湯を入れていないときにも、糸と連接している摘み片を振動すると、コップ内に浮かんでいるティーバッグを有効に振動させることができ、これにより、ティーバッグ内に収容された茶葉または茶葉粉末の抽出物を有効に液中に拡散することができる。
【０００９】
（２）使用されたティーバッグを廃棄しようとする場合には、コップとティーバッグを分離して別々に廃棄することができる。
【考案を実施するための最良の形態】
【００１０】
以下、添付図面を参照して本考案の好適な実施の形態を詳細に説明する。
【００１１】
まず、図１及び図２を参照する。本考案に係るティーバッグ付きインスタントコップは、コップ１と、ティーバッグ２を含む。
【００１２】
前記コップ１は、紙または樹脂などの材料で各形状に作製された耐熱食品クラスの容器であり、開口１１と底板１２とを有し、前記開口１１からティーバッグ２を入れることができ、前記開口１１の端縁には切り欠１１１が設けられている。
【００１３】
前記ティーバッグ２は、二層の不織布、紙、樹脂、又は前記の数種類の素材を混合した材料で作製され、内容物２１を充填した後に密封周縁２２を密封して形成されており、前記内容物２１は、インスタント食品でもいいし、健康食品でもいいし、茶葉でもいいし、茶葉粉末でもいいし、コーヒーでもいいし、ココアでもいいし、それ以外の何れかのインスタント飲み物でもよい。そして、その密封周縁２２は、高周波溶着又は加熱シールによって一部が固定点２３でコップ１内の底板１２に固定されている。この固定は、後記するように強く引っ張ると底板から剥離される程度とすることが望ましい。前記ティーバッグ２の固定点２３の反対側にある密封周縁２２には糸２４の一端が連接されており、前記糸２４の他端には保持可能な摘み片５が連接されている。前記糸２４は、図２に示すように、切り欠１１１に挟まれることができる。図に示す例では木綿糸で構成してあるが、その他適宜の糸を用いることができる。また、摘み片２５は紙材料で構成しているが、プラスチック材料等で構成してもよい。
【００１４】
使用状態を示す図３を参照し、前記摘み片２５を握ってティーバッグ２を軽く振動すると、ティーバッグ２内の内容物２１からの抽出物を完全に液中に拡散させることができる。そして、前記摘み片２５を握ってティーバッグ２を上に強く引くと、ティーバッグ２をコップ１の底板１２から離脱させることができ、使用後にコップ１とティーバッグ２を別々に廃棄することができる。
【００１５】
本考案は、上記のように特定の実施例を参照して説明したが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１６】
【図１】この考案の主な部品の分解斜視図である。
【図２】この考案の組立てた状態の断面図である。
【図３】この考案の使用時の説明図である。
【符号の説明】
【００１７】
１        コップ              ２        ティーバッグ
１１      開口                １２      底板
２１      内容物              ２２      密封周縁
２３      固定点              ２４      糸
２５      摘み片              １１１    切り欠
【図１】
0003141484.tif 000003
【図２】
0003141484.tif 000004
【図３】
0003141484.tif 000005